【手続補正書】
【提出日】平成20年9月19日(2008.9.19)
【手続補正１】
【補正対象書類名】特許請求の範囲
【補正対象項目名】全文
【補正方法】変更
【補正の内容】
【特許請求の範囲】
【請求項１】
外面及び内面を有し、受容者のある部位に配置しうるための大きさを有する可撓性中空部材と、
前記可撓性中空部材の前記内面に取り付けられ、移動小片群として動作可能な複数の可動部と、
を具えた器具。
【請求項２】
前記可撓性中空部材が、さらに、実質的に管状又は円筒状の構造を具えることを特徴とする請求項２に記載の器具。
【請求項３】
前記実質的に膨張可能な管状又は円筒状の構造が、さらに、実質的に膨張可能、又は収縮性構造のいずれか１以上を具えることを特徴とする請求項２に記載の器具。
【請求項４】
前記実質的に管状又は円筒状の構造が、さらに、前記複数の可動部に接続された複数の膨張可能な分節を具えることを特徴とする請求項２に記載の器具。
【請求項５】
前記実質的に管状又は円筒状の構造が、さらに、薬物、薬剤、治療薬、生物活性剤、化学薬品、化合物、界面活性剤、ステロイド、内腔拡張薬（ａ  ｌｕｍｉｎａｌ−ｄｉｌａｔｉｎｇ  ａｇｅｎｔ）、内腔収縮薬（ａ  ｌｕｍｉｎａｌ−ｃｏｎｔｒａｃｔｉｎｇ  ａｇｅｎｔ）、抗生物質又は抗真菌剤又は抗ウイルス薬、タンパク質、１又はそれ以上の核酸を具える核酸又はポリマー（重合体）、高分子、ペプチド、ポリマー（重合体）、又は微生物分解物質のうちの１又はそれ以上のコーティングを具えることを特徴とする請求項２に記載の器具。
【請求項６】
前記可撓性中空部材が、さらに、所定の部位に配置するための形状又は構成を具えることを特徴とする請求項１に記載の器具。
【請求項７】
前記可撓性中空部材が、さらに、ある部位のために構成される可動片を形成するよう連結した１又はそれ以上の可撓性中空部材を具えることを特徴とする請求項１に記載の器具。
【請求項８】
前記可撓性中空部材が、さらに、１又はそれ以上の二股又は分岐部を具えていることを特徴とする請求項１に記載の器具。
【請求項９】
前記可撓性中空部材が、さらに、実質的に滑らかな内面を具えていることを特徴とする請求項１に記載の器具。
【請求項１０】
前記可撓性中空部材が、摩擦係数が低く、空気又は流体の流れのインピーダンスを低く操作可能である内面を具えることを特徴とする請求項１に記載の器具。
【請求項１１】
前記可撓性中空部材が、受容者の所定の部位に密着、付着、又は配置するために動作可能な表面改質を有する外面を具えていることを特徴とする請求項１に記載の器具。
【請求項１２】
前記複数の可動部が、さらに、ゲル、ヒドロゲル、ポリマー、振動ポリマー、電気活性ポリマー、高分子、電歪又は磁歪材料、リニアモータ装置、又は生体適合性材料でコーティングされた材料のうちの１又はそれ以上を具えていることを特徴とする請求項１に記載の器具。
【請求項１３】
前記器具が、さらに、前記複数の可動部に取り付けられたアクチュエータ、モータ、生物分子モータ、又は運動を与えるよう動作可能な器具を具えていることを特徴とする請求項１に記載の器具。
【請求項１４】
前記器具が、さらに、前記複数の可動部又は前記可撓性中空部材を制御する、電気的、磁気的、音響的、光学的又は電磁的フィールドを具えていることを特徴とする請求項１に記載の器具。
【請求項１５】
前記器具が、さらに、前記器具を制御する外部又は内部の電気的、磁気的、音響的、光学的又は電磁的フィールドを具えていることを特徴とする請求項１に記載の器具。
【請求項１６】
前記器具が、気管、気管支、気管支樹、尿生殖路、消化管、肺管、神経血管系、又は血管系の少なくとも一部を交換又は機能的に補う特注の大きさ、形状、又は寸法を具えることを特徴とする請求項１に記載の器具。
【請求項１７】
前記器具が、さらに、薬物、薬剤、治療薬、生物活性剤、化学薬品、化合物、界面活性剤、ステロイド、内腔拡張薬（ａ  ｌｕｍｉｎａｌ−ｄｉｌａｔｉｎｇ  ａｇｅｎｔ）、内腔収縮薬（ａ  ｌｕｍｉｎａｌ−ｃｏｎｔｒａｃｔｉｎｇ  ａｇｅｎｔ）、抗生物質又は抗真菌剤又は抗ウイルス薬、タンパク質、１又はそれ以上の核酸を具える核酸又はポリマー（重合体）、高分子、ペプチド、ポリマー（重合体）、又は微生物分解物質のうちの少なくとも１つを投薬する機構、及び／又は、薬物、薬剤、治療薬、生物活性剤、化学薬品、化合物、界面活性剤、ステロイド、内腔拡張薬（ａ  ｌｕｍｉｎａｌ−ｄｉｌａｔｉｎｇ  ａｇｅｎｔ）、内腔収縮薬（ａ  ｌｕｍｉｎａｌ−ｃｏｎｔｒａｃｔｉｎｇ  ａｇｅｎｔ）、抗生物質又は抗真菌剤又は抗ウイルス薬、タンパク質、１又はそれ以上の核酸を具える核酸又はポリマー（重合体）、高分子、ペプチド、ポリマー（重合体）、又は微生物分解物質のうちの少なくとも１つを貯蔵するリザーバを具えることを特徴とする請求項１に記載の器具。
【請求項１８】
前記可撓性中空部材が、さらに、前記可撓性中空部材の前記外面に取り付けられた１又はそれ以上の可動部を具えていることを特徴とする請求項１に記載の器具。
【請求項１９】
受容者に埋込可能な支持通路を形成するステップと、
前記支持通路に複数の可動部を取り付けるステップと、
前記支持通路及び前記支持通路に取り付けられた前記複数の可動部を、前記受容者のある部位に配置しうる大きさとするステップと、
を具えることを特徴とする器具作製方法。
【請求項２０】
前記方法が、さらに、流体、粒子、流動粒子、物体、細片、粘液、浸出液、又は組織片のうちの１又はそれ以上を移動させるための複数の可動部を前記支持通路に取り付けるステップを具えることを特徴とする請求項１９に記載の器具作製方法。
【請求項２１】
前記方法が、さらに、二股状の支持通路を形成するステップを具えていることを特徴とする請求項１９に記載の器具作製方法。
【請求項２２】
前記方法が、さらに、生体適合性材料、ポリマー、微生物分解物質、薬物、薬剤、又は、治療薬で、前記支持通路又は複数の可動部の少なくとも一部をコーティングするステップを具えていることを特徴とする請求項１９に記載の器具作製方法。
【請求項２３】
前記方法が、さらに、前記支持通路の内部の少なくとも一部に滑らかな表面を作製するステップを具えていることを特徴とする請求項１９に記載の器具作製方法。
【請求項２４】
前記方法が、さらに、前記支持通路の外部に、動物の所定の部位の周辺に取付又は配置するための動作可能な表面改質を作製するステップを具えていることを特徴とする請求項１９に記載の器具作製方法。
【請求項２５】
前記方法が、さらに、ゲル、ヒドロゲル、コロイド、ポリマー、振動ポリマー、電気活性ポリマー、高分子、又は生体適合性材料でコーティングされた材料のうちの１又はそれ以上を含む前記支持通路又は前記複数の可動部を形成するステップを具えることを特徴とする請求項１９に記載の器具作製方法。
【請求項２６】
前記方法が、さらに、半径方向外側に前記複数の可動部を向けるステップを具えていることを特徴とする請求項１９に記載の器具作製方法。
【請求項２７】
前記方法が、さらに、気管、気管支、気管支樹、尿生殖路、消化管、肺管、神経血管系、又は血管系に配置するための、特注の大きさ、形状、構造、又は寸法を具える前記支持通路を形成するステップ、及び／又は、気管、気管支、気管支樹、尿生殖路、消化管、肺管、神経血管系、又は血管系の少なくとも一部を交換又は機能的に補うための、特注の大きさ、形状、構造、又は寸法を具える前記支持通路を形成するステップを具えることを特徴とする請求項１９に記載の器具作製方法。
【請求項２８】
前記方法が、さらに、薬物、薬剤、治療薬、生物活性剤、化学薬品、化合物、界面活性剤、ステロイド、内腔拡張薬（ａ  ｌｉｍｉｎａｌ−ｄｉｌａｔｉｎｇ  ａｇｅｎｔ）、内腔収縮薬（ａ  ｌｉｍｉｎａｌ−ｃｏｎｔｒａｃｔｉｎｇ  ａｇｅｎｔ）、抗生物質又は抗真菌剤又は抗ウイルス薬、タンパク質、１又はそれ以上の核酸を具える核酸又はポリマー（重合体）、高分子、ペプチド、ポリマー（重合体）、又は微生物分解物質のうちの少なくとも１つを貯蔵する所蔵システムを与えるステップ；薬物、薬剤、治療薬、生物活性剤、化学薬品、化合物、界面活性剤、ステロイド、内腔拡張薬（ａ  ｌｉｍｉｎａｌ−ｄｉｌａｔｉｎｇ  ａｇｅｎｔ）、内腔収縮薬（ａ  ｌｉｍｉｎａｌ−ｃｏｎｔｒａｃｔｉｎｇ  ａｇｅｎｔ）、抗生物質又は抗真菌剤又は抗ウイルス薬、タンパク質、１又はそれ以上の核酸を具える核酸又はポリマー（重合体）、高分子、ペプチド、ポリマー（重合体）、又は微生物分解物質のうちの少なくとも１つを、器具の少なくとも一部にコーティングするステップ；薬物、薬剤、治療薬、生物活性剤、化学薬品、化合物、界面活性剤、ステロイド、内腔拡張薬（ａ  ｌｉｍｉｎａｌ−ｄｉｌａｔｉｎｇ  ａｇｅｎｔ）、内腔収縮薬（ａ  ｌｉｍｉｎａｌ−ｃｏｎｔｒａｃｔｉｎｇ  ａｇｅｎｔ）、抗生物質又は抗真菌剤又は抗ウイルス薬、タンパク質、１又はそれ以上の核酸を具える核酸又はポリマー（重合体）、高分子、ペプチド、ポリマー（重合体）、又は微生物分解物質のうちの少なくとも１又はそれ以上を放出する機構を含めるステップ；の少なくとも一つを具えることを特徴とする請求項１９に記載の器具作製方法。
【請求項２９】
受容者の管腔部に、内部に１又はそれ以上の移動片を取り付けた中空の膨張可能な器具を配置するステップと、
器官の管腔に前記中空の膨張可能な器具を位置決めするステップと、
前記中空の膨張可能な器具をモニタするステップと、
を具えることを特徴とする方法。
【請求項３０】
前記方法が、さらに、前記前記中空の膨張可能な器具に接続された前記１又はそれ以上の移動片を動作させて、流体、粒子、流動粒子、粘液、浸出液又は組織片を移動させるステップを具えていることを特徴とする請求項２９に記載の方法。
【請求項３１】
前記方法が、さらに、外部の電気的、磁気的、音響的、光学的、又は電磁的フィールドのうちの少なくとも１つを加えて、流体、粒子、流動粒子、粘液、浸出液又は組織片を除去するステップを具えていることを特徴とする請求項２９に記載の方法。
【請求項３２】
前記方法が、さらに、気管、気管支、気管支樹、尿生殖路、消化管、肺管、神経血管系、又は血管系に前記中空の膨張可能な器具を配置するステップを具えていることを特徴とする請求項２９に記載の方法。
【請求項３３】
前記方法が、さらに、前記複数の移動片の運動又は方向性を制御するステップを具えていることを特徴とする請求項２９に記載の方法。
【請求項３４】
前記方法が、さらに、前記複数の移動片の方向を調整するステップを具えていることを特徴とする請求項２９に記載の方法。
【請求項３５】
前記方法が、さらに、少なくとも１つの二股部を有する前記中空の膨張可能な器具を配置するステップ、及び／又は、少なくとも１つの二股部を位置決めするステップを具えていることを特徴とする請求項２９に記載の方法。
【請求項３６】
前記方法が、さらに、薬物、薬剤、治療薬、生物活性剤、化学薬品、化合物、界面活性剤、ステロイド、内腔拡張薬（ａ  ｌｉｍｉｎａｌ−ｄｉｌａｔｉｎｇ  ａｇｅｎｔ）、内腔収縮薬（ａ  ｌｉｍｉｎａｌ−ｃｏｎｔｒａｃｔｉｎｇ  ａｇｅｎｔ）、抗生物質又は抗真菌剤又は抗ウイルス薬、タンパク質、１又はそれ以上の核酸を具える核酸又はポリマー（重合体）、高分子、ペプチド、ポリマー（重合体）、又は微生物分解物質を送出するステップを具えていることを特徴とする請求項２９に記載の方法。